(57)【要約】【課題】  塔脚等に架け止めた親綱を作業者側に手繰り寄せる機構を付加することで、１人の作業者から離れた位置にある塔脚に親綱を略水平方向に架け止めると共に、その親綱を鉄塔の保守点検作業等が終了したら容易に取り外すことができる。【解決手段】  操作棒１の先端に取り付けた、鉤状に曲折形成した綱支持アーム２と、親綱Ｒを、鉤形状に湾曲した状態で数箇所に仮止めするために、綱支持アーム２の数箇所に設けた綱仮止め具５と、綱支持アーム２の開放側と同じ向きに開放する略円弧形状を形成し、略中間位置を該綱支持アーム２に回動自在に取り付けた綱引掛けアーム４と、綱引掛けアーム４の一端に取り付けた、親綱Ｒ先端部の輪部Ｒ１を引掛ける引掛け具３と、他端に形成した、この綱引掛けアーム４を回動させるために所定箇所に当てる当接部６と、を備えた親綱Ｒを略水平に架け止めるときに使用する水平ロープ架設補助治具であru。【選択図】  図１
2006097286.tif 000002
【特許請求の範囲】
【請求項１】
作業者から離れた位置にある所定箇所に、ロープ（Ｒ）を略水平に架け止めるときに使用する水平ロープ架設補助治具であって、
操作棒（１）の先端に取り付けた、鉤状に曲折形成した綱支持アーム（２）と、  
前記ロープ（Ｒ）を、鉤形状に湾曲した状態で数箇所に仮止めするために、前記綱支持アーム（２）の数箇所に設けた綱仮止め具（５）と、
前記綱支持アーム（２）の開放側と同じ向きに開放する略円弧形状を形成し、かつ略中間位置を該綱支持アーム（２）に回動自在に取り付けた綱引掛けアーム（４）と、
前記綱引掛けアーム（４）の一端に取り付けた、前記ロープ（Ｒ）先端部の輪部（Ｒ１）を引掛ける引掛け具（３）と、
前記綱引掛けアーム（４）の他端に形成した、該綱引掛けアーム（４）を回動させるために前記所定箇所に当てる当接部（６）と、を備え、
前記綱引掛けアーム（４）の当接部（６）を、前記所定箇所に当てた状態で操作棒（１）を作業者側に引き寄せ、該綱引掛けアーム（４）が回動して前記引掛け具（３）がロープ（Ｒ）の輪部（Ｒ１）を引掛け、この所定箇所に親綱（Ｒ）を架け止めた状態でロープ（Ｒ）の先端部を作業者の手元まで手繰り寄せることができるように構成した、ことを特徴とする水平ロープ架設補助治具。
【請求項２】
前記引掛け具（３）は、前記ロープ（Ｒ，Ｒ１）を掴む空間が形成されるように、鋏状になる２本の部材（７）の両先端が対向するような鉤状になる鉤状先端部（８）を形成すると共に、両鉤状先端部（８）が閉じるように引っ張る弾性部材（９）を前記鋏状の両部材（７）に介在させ、
一方の鉤状先端部（８）に突っ張具（１０）を揺動自在に取り付け、該突っ張具（１０）で両鉤状先端部（８）を開けた状態にすると共に、該突っ張具（１０）を前記所定箇所に当てて両鉤状先端部（８）から外れたときに両鉤状先端部（８）が閉じるように構成したものである、ことを特徴とする請求項１の水平ロープ架設補助治具。
【請求項３】
鉄塔等の塔脚（Ｔ１，Ｔ２）上において作業者が横移動する際に、作業者の墜落を防止するために親綱（Ｒ）を塔脚（Ｔ１，Ｔ２）間に略水平に架けるときに使用する水平ロープ架設補助治具であって、
前記塔脚（Ｔ１）と塔脚（Ｔ２）との間隔程度の長さを有する操作棒（１）と、
前記操作棒（１）先端に取り付けた、鉤状に曲折形成した綱支持アーム（２）と、  
前記親綱（Ｒ）を、鉤形状に湾曲した状態で数箇所に仮止めするために、前記綱支持アーム（２）の数箇所に設けた綱仮止め具（５）と、
前記綱支持アーム（２）の開放側と同じ向きに開放する略円弧形状を形成し、略中間位置を、該綱支持アーム（２）に回動自在に取り付けた綱引掛けアーム（４）と、
前記綱引掛けアーム（４）の一端に取り付けた、前記親綱（Ｒ）先端部の輪部（Ｒ１）を引掛ける引掛け具（３）と、
前記綱引掛けアーム（４）の他端に形成した、該綱引掛けアーム（４）を回動させるために作業者から離れた位置にある前記塔脚（Ｔ１）に当てる当接部（６）と、を備え、
前記綱引掛けアーム（４）の当接部（６）を、前記塔脚（Ｔ１）に当てた状態で操作棒（１）を作業者側に引き寄せ、該綱引掛けアーム（４）が回動して前記引掛け具（３）が親綱（Ｒ）の輪部（Ｒ１）を引掛け、その塔脚（Ｔ１）に親綱（Ｒ）を架け止めた状態で親綱（Ｒ）の先端部を作業者の手元まで手繰り寄せることができるように構成した、ことを特徴とする水平ロープ架設補助治具。
【請求項４】
前記引掛け具（３）は、前記親綱（Ｒ，Ｒ１）を掴む空間が形成されるように、鋏状になる２本の部材（７）の両先端が対向するような鉤状になる鉤状先端部（８）を形成すると共に、両鉤状先端部（８）が閉じるように引っ張る弾性部材（９）を前記鋏状の部材（７）に介在させ、
一方の鉤状先端部（８）に突っ張具（１０）を揺動自在に取り付け、該突っ張具（１０）で両鉤状先端部（８）を開けた状態にすると共に、該突っ張具（１０）を前記塔脚（Ｔ１）に当てて両鉤状先端部（８）から外れたときに両鉤状先端部（８）が閉じるように構成したものである、ことを特徴とする請求項３の水平ロープ架設補助治具。
【請求項５】
前記綱支持アーム（２）の先端に、前記親綱（Ｒ）を塔脚（Ｔ）から外すときに、該親綱（Ｒ）の輪部（Ｒ１）を引っ掛けて作業者の手元まで手繰り寄せるフック（１１）を取り付けた、ことを特徴とする請求項３の水平ロープ架設補助治具。
【請求項６】
鉤形状に湾曲形成した綱支持アーム（２）を操作棒（１）の先端に具備した水平ロープ架設補助治具に、所定の作業に用いるロープ（Ｒ）を鉤形状に湾曲した状態で数箇所に仮止めし、
この綱支持アーム（２）を、作業者から離れた位置にある所定箇所に、その開放側から略水平に引っ掛け、
前記綱支持アーム（２）に回動自在に取り付けた綱引掛けアーム（４）の当接部（６）を前記所定箇所に当て、この綱引掛けアーム（４）を回動させることにより引掛け具（３）でロープ（Ｒ）の輪部（Ｒ１）を引掛け、
このように所定箇所にロープ（Ｒ）を架け止めた状態で、この所定箇所から綱支持アーム（２）を外しながら、ロープ（Ｒ）の先端部を作業者の手元まで手繰り寄せる、ことを特徴とする水平ロープ架設方法。
【請求項７】
鉄塔等の塔脚（Ｔ１，Ｔ２）上において作業する作業者が、水平ロープ架設補助治具の鉤形状に湾曲形成した綱支持アーム（２）に、その墜落を防止するための親綱（Ｒ）を鉤形状に湾曲した状態で数箇所に仮止めし、
この綱支持アーム（２）を、その開放側から水平に親綱（Ｒ）を、作業者から離れた位置にある塔脚（Ｔ１）に引っ掛け、
前記綱支持アーム（２）に回動自在に取り付けた綱引掛けアーム（４）の当接部（６）を塔脚（Ｔ１）に当て、この綱引掛けアーム（４）を回動させることにより引掛け具（３）で親綱（Ｒ）の輪部（Ｒ１）を引掛け、
このように塔脚（Ｔ１）に親綱（Ｒ）を架け止めた状態で、この塔脚（Ｔ１）から綱支持アーム（２）を外しながら、親綱（Ｒ）の先端部を作業者の手元まで手繰り寄せる、ことを特徴とする水平ロープ架設方法。
【請求項８】
作業者は、その手元まで親綱（Ｒ）先端の輪部（Ｒ１）を手繰り寄せた後、その輪部（Ｒ１）に親綱（Ｒ）の他端を通し、この親綱（Ｒ）の他端を徐々に手元まで手繰り寄せて、この親綱（Ｒ）の他端を作業者側の塔脚（Ｔ２）に結び付ける、ことを特徴とする請求項７の水平ロープ架設方法。
【発明の詳細な説明】
【技術分野】
【０００１】
本発明は、主に送電線等の鉄塔上において作業者が作業するときに、墜落防止用の親綱を塔脚と塔脚の間に水平に架設するときに使用する水平ロープ架設補助治具及び水平ロープ架設方法に関するものである。
【背景技術】
【０００２】
鉄塔上で作業する作業者は、他の塔脚に横移動する際に、墜落防止用のロープ（親綱）を塔脚と塔脚の間に水平に張り付け、そのロープに作業者の胴綱を掛け止めることにより安全に移動している。例えば、図４に示すように、１人の作業者Ｗが、その離れた位置にある塔脚Ｔ１に親綱Ｒを架設する際は、作業者Ｗが先に親綱Ｒの片端を離れた位置の塔脚Ｔ１に固定し、その後親綱Ｒの先端を持って片側の塔脚Ｔ２に移動して親綱Ｒを縛り付けしていた。
【発明の開示】
【発明が解決しようとする課題】
【０００３】
しかし、この従来の架設作業では、親綱Ｒの架設中の横移動時は、作業者Ｗの体を支える適当な足場や手で掴む部材がないため，不安定な状態を強いられ、危険な作業になりやすいという問題を有していた。
【０００４】
また、２人の作業者で親綱を架設することも可能であるが、そのために作業者が最低２人必要となり、作業能率が低下するという問題を有していた。
【０００５】
なお、１人の作業者が操作具を用いて親綱を張設する先行技術としては、特許文献１の特開平８−２２９１４９号公報「電柱に対する親綱の張設方法及び通い綱掛け吊し用の操作具」に示すように、地上から電柱の上部に設けられた腕金に達する長さを有する操作棒の先端部に、通い綱の先端部を着脱自在に保持し得る綱支持アームと、上記通い綱の先端部に取付けた重錘に対して係合可能なフックとを設け、その操作棒を用いて通い綱の先端部を電柱の腕金に跨がらせ、腕金から垂れ下がる通い綱の重錘に前記フックを係合させて通い綱の先端部を地上まで引き下げたのち、上記通い綱の先端部に親綱の一端を連結し、上記通い綱の後端部の引き下げにより通い綱と親綱とを置換し、上記通い綱との連結を解除したのち、親綱の両端部を電柱の下部に取付けた親綱取付金具に連結する方法が提案されている。
【特許文献１】特開平８−２２９１４９号
【０００６】
しかし、この特許文献１の親綱を張設する技術は、電柱の腕金に親綱を掛け止める技術であり、塔脚と塔脚と間に親綱を水平方向に架設する技術ではない。即ち、上下方向に配置された部材に対して、ロープ（親綱）を水平方向から巻き付けるように架け止める技術ではなかった。
【０００７】
本発明は、かかる問題点を解決するために創案されたものである。すなわち、本発明の目的は、塔脚等に架け止めた親綱を作業者側に手繰り寄せる機構を付加することで、１人の作業者から離れた位置にある塔脚に親綱を略水平方向に架け止めると共に、その親綱を鉄塔の保守点検作業等が終了したら容易に取り外すことができる水平ロープ架設補助治具及び水平ロープ架設方法を提供することにある。
【課題を解決するための手段】
【０００８】
本発明の水平ロープ架設補助治具によれば、作業者から離れた位置にある所定箇所に、ロープ（Ｒ）を略水平に架け止めるときに使用する水平ロープ架設補助治具であって、  操作棒（１）の先端に取り付けた、鉤状に曲折形成した綱支持アーム（２）と、前記ロープ（Ｒ）を、鉤形状に湾曲した状態で数箇所に仮止めするために、前記綱支持アーム（２）の数箇所に設けた綱仮止め具（５）と、前記綱支持アーム（２）の開放側と同じ向きに開放する略円弧形状を形成し、かつ略中間位置を該綱支持アーム（２）に回動自在に取り付けた綱引掛けアーム（４）と、前記綱引掛けアーム（４）の一端に取り付けた、前記ロープ（Ｒ）先端部の輪部（Ｒ１）を引掛ける引掛け具（３）と、前記綱引掛けアーム（４）の他端に形成した、該綱引掛けアーム（４）を回動させるために前記所定箇所に当てる当接部（６）と、を備え、前記綱引掛けアーム（４）の当接部（６）を、前記所定箇所に当てた状態で操作棒（１）を作業者側に引き寄せ、該綱引掛けアーム（４）が回動して前記引掛け具（３）がロープ（Ｒ）の輪部（Ｒ１）を引掛け、この所定箇所に親綱（Ｒ）を架け止めた状態でロープ（Ｒ）の先端部を作業者の手元まで手繰り寄せることができるように構成した、ことを特徴とする水平ロープ架設補助治具が提供される。
前記引掛け具（３）は、前記ロープ（Ｒ，Ｒ１）を掴む空間が形成されるように、鋏状になる２本の部材（７）の両先端が対向するような鉤状になる鉤状先端部（８）を形成すると共に、両鉤状先端部（８）が閉じるように引っ張る弾性部材（９）を前記鋏状の両部材（７）に介在させ、一方の鉤状先端部（８）に突っ張具（１０）を揺動自在に取り付け、該突っ張具（１０）で両鉤状先端部（８）を開けた状態にすると共に、該突っ張具（１０）を前記所定箇所に当てて両鉤状先端部（８）から外れたときに両鉤状先端部（８）が閉じるように構成したものである。
【０００９】
例えば、鉄塔等の塔脚（Ｔ１，Ｔ２）上において作業者が横移動する際に、作業者の墜落を防止するために親綱（Ｒ）を塔脚（Ｔ１，Ｔ２）間に略水平に架けるときに使用する水平ロープ架設補助治具であって、前記塔脚（Ｔ１）と塔脚（Ｔ２）との間隔程度の長さを有する操作棒（１）と、前記操作棒（１）先端に取り付けた、鉤状に曲折形成した綱支持アーム（２）と、前記親綱（Ｒ）を、鉤形状に湾曲した状態で数箇所に仮止めするために、前記綱支持アーム（２）の数箇所に設けた綱仮止め具（５）と、前記綱支持アーム（２）の開放側と同じ向きに開放する略円弧形状を形成し、略中間位置を、該綱支持アーム（２）に回動自在に取り付けた綱引掛けアーム（４）と、前記綱引掛けアーム（４）の一端に取り付けた、前記親綱（Ｒ）先端部の輪部（Ｒ１）を引掛ける引掛け具（３）と、前記綱引掛けアーム（４）の他端に形成した、該綱引掛けアーム（４）を回動させるために作業者から離れた位置にある前記塔脚（Ｔ１）に当てる当接部（６）と、を備え、前記綱引掛けアーム（４）の当接部（６）を、前記塔脚（Ｔ１）に当てた状態で操作棒（１）を作業者側に引き寄せ、該綱引掛けアーム（４）が回動して前記引掛け具（３）が親綱（Ｒ）の輪部（Ｒ１）を引掛け、その塔脚（Ｔ１）に親綱（Ｒ）を架け止めた状態で親綱（Ｒ）の先端部を作業者の手元まで手繰り寄せることができるように構成したものである。
【００１０】
前記引掛け具（３）は、前記親綱（Ｒ）を掴む空間が形成されるように、鋏状になる２本の部材（７）の両先端が対向するような鉤状になる鉤状先端部（８）を形成すると共に、両鉤状先端部（８）が閉じるように引っ張る弾性部材（９）を前記鋏状の部材（７）に介在させ、一方の鉤状先端部（８）に突っ張具（１０）を揺動自在に取り付け、該突っ張具（１０）で両鉤状先端部（８）を開けた状態にすると共に、該突っ張具（１０）を前記塔脚（Ｔ１）に当てて両鉤状先端部（８）から外れたときに両鉤状先端部（８）が閉じるように構成したものである。
前記綱支持アーム（２）の先端に、前記親綱（Ｒ）を塔脚（Ｔ）から外すときに、該親綱（Ｒ）の輪部（Ｒ１）を引っ掛けて作業者の手元まで手繰り寄せるフック（１１）を取り付けた。
【００１１】
本発明の架設方法によれば、鉤形状に湾曲形成した綱支持アーム（２）を操作棒（１）の先端に具備した水平ロープ架設補助治具に、所定の作業に用いるロープ（Ｒ）を鉤形状に湾曲した状態で数箇所に仮止めし、この綱支持アーム（２）を、作業者から離れた位置にある所定箇所に、その開放側から略水平に引っ掛け、前記綱支持アーム（２）に回動自在に取り付けた綱引掛けアーム（４）の当接部（６）を前記所定箇所に当て、この綱引掛けアーム（４）を回動させることにより引掛け具（３）でロープ（Ｒ）の輪部（Ｒ１）を引掛け、このように所定箇所にロープ（Ｒ）を架け止めた状態で、この所定箇所から綱支持アーム（２）を外しながら、ロープ（Ｒ）の先端部を作業者の手元まで手繰り寄せる、ことを特徴とする水平ロープ架設方法が提供される。
【００１２】
例えば、鉄塔等の塔脚（Ｔ１，Ｔ２）上において作業する作業者が、水平ロープ架設補助治具の鉤形状に湾曲形成した綱支持アーム（２）に、その墜落を防止するための親綱（Ｒ）を鉤形状に湾曲した状態で数箇所に仮止めし、この綱支持アーム（２）を、その開放側から水平に親綱（Ｒ）を、作業者から離れた位置にある塔脚（Ｔ１）に引っ掛け、前記綱支持アーム（２）に回動自在に取り付けた綱引掛けアーム（４）の当接部（６）を塔脚（Ｔ１）に当て、この綱引掛けアーム（４）を回動させることにより引掛け具（３）で親綱（Ｒ）の輪部（Ｒ１）を引掛け、このように塔脚（Ｔ１）に親綱（Ｒ）を架け止めた状態で、この塔脚（Ｔ１）から綱支持アーム（２）を外しながら、親綱（Ｒ）の先端部を作業者の手元まで手繰り寄せる。
【００１３】
作業者は、その手元まで親綱（Ｒ）先端の輪部（Ｒ１）を手繰り寄せた後、その輪部（Ｒ１）に親綱（Ｒ）の他端を通し、この親綱（Ｒ）の他端を徐々に手元まで手繰り寄せて、この親綱（Ｒ）の他端を作業者側の塔脚（Ｔ２）に結び付ける。
【発明の効果】
【００１４】
上記構成の水平ロープ架設補助治具では、ロープ又は親綱（Ｒ）を、綱支持アーム（２）の数箇所に設けた綱仮止め具（５）に、鉤形状に湾曲した状態で仮止めし、この綱支持アーム（２）の開放側から所定箇所又は塔脚（Ｔ１）にロープ又は親綱（Ｒ）を架け止めることができる。この綱支持アーム（２）の綱引掛けアーム（４）の当接部（６）を、塔脚（Ｔ１）等に当てて操作棒（１）を作業者側に引き寄せると、綱引掛けアーム（４）が回動して引掛け具（３）がロープ又は親綱（Ｒ）の輪部（Ｒ１）を引掛けることができる。この親綱（Ｒ）先端の輪部（Ｒ１）を作業者の手元まで手繰り寄せることができる。これにより、１人の作業者は、鉄塔上でその離れた位置にある塔脚（Ｔ１）に親綱（Ｒ）を、一人で操作でき簡単に架け止めることができる。
また、この水平ロープ架設補助治具は軽量であるので容易に持ち運びができる。
特に、親綱（Ｒ）架設時に不安定な横移動が不要となり安全性が向上する。鉄塔上において塔脚（Ｔ１）への親綱（Ｒ）の架設作業が一人でできるので作業能率も向上する。
【００１５】
引掛け具（３）の鉤状先端部（８）は、突っ張具（１０）で開いた状態を維持し、この突っ張具（１０）が塔脚（Ｔ１）に当たったときに両鉤状先端部（８）が閉じるので、親綱（Ｒ）の輪部（Ｒ１）を容易かつ確実に引掛けることができる。作業者から離れた位置からでも、親綱（Ｒ）を塔脚（Ｔ）等に架け止めた状態で容易に作業者の手元に手繰り寄せることができる。
【００１６】
綱支持アーム（２）の先端に取り付けたフック（１１）は、作業者の点検作業等が終了したときに、このフック（１１）を親綱（Ｒ）の輪部（Ｒ１）を引っ掛けて作業者の手元まで手繰り寄せることにより、親綱（Ｒ）を塔脚（Ｔ１）から外すことができる。
【００１７】
上記構成の水平ロープ架設方法では、作業者から離れた位置にある塔脚（Ｔ１）等に親綱（Ｒ）を架けた状態で親綱（Ｒ）の先端部を作業者の手元まで手繰り寄せ、この輪部（Ｒ１）に親綱（Ｒ）の他端を通してから、この親綱（Ｒ）の他端を徐々に手元まで手繰り寄せて、この親綱（Ｒ）の他端を作業者側の塔脚（Ｔ２）等に結び付けることができる。更に、この手繰り寄せた親綱（Ｒ）は、作業者の立っている塔脚（Ｔ２）に結び付ける。これで作業者は、他の塔脚（Ｔ１）等に安全に横移動することができる。
【発明を実施するための最良の形態】
【００１８】
本発明の水平ロープ架設補助治具及び水平ロープ架設方法は、鉄塔の塔脚等に架けた親綱を手繰り寄せる機構を設けることにより、１人の作業者が塔脚等に親綱を架け止めると共に、その親綱を鉄塔等の保守点検作業が終了したら容易に取り外すことができるように構成したものである。
【実施例１】
【００１９】
以下、本発明の好ましい実施の形態を図面を参照して説明する。
図１は本発明の実施例１の水平ロープ架設補助治具を示すものであり、(ａ)は全体構成図、(ｂ) は綱支持アームの拡大図である。
本発明の水平ロープ架設補助治具は、作業者がこの鉄塔等の塔脚Ｔ１，Ｔ２上において作業者が横移動する際に（図４参照）、作業者の墜落を防止するために親綱Ｒを塔脚Ｔ１，Ｔ２間に水平に架けるときに使用する。水平ロープ架設補助治具は、鉄塔等の上において作業者が操作する操作棒１と、作業者の墜落を防止するための親綱Ｒを鉤形状に湾曲した状態で数箇所に仮止めする綱支持アーム２と、この親綱Ｒ先端部の輪部Ｒ１を引掛ける引掛け具３を有する綱引掛けアーム４とを備えたものである。
【００２０】
操作棒１は、塔脚Ｔ１と塔脚Ｔ２との間隔程度の長さを有するものである。例えば、１．２〜３．６ｍ程度の長さのものである。本発明の操作棒１は約１ｋｇの重量のものである。これは、作業者から離れた位置にある塔脚Ｔ１へロープ（親綱）Ｒを１人で簡単に操作して架けやすくするためである。なお、操作棒１は，容易に運搬できるように釣竿のように繰り出し式の伸縮自在になるものでもよい。
【００２１】
綱支持アーム２は、操作棒１の先端に取り付けた鉤状に曲折形成した金具である。この綱支持アーム２には、数箇所に綱仮止め具５を所定の間隔をあけて設けている。この綱仮止め具５は、２枚の細い金属板で親綱Ｒを挟むように構成したものである。綱支持アーム２の３箇所に綱仮止め具５を設け、更に操作棒１の先端部に綱仮止め具５を設けている。これらの綱仮止め具５に親綱Ｒを鉤形状に湾曲した状態で数箇所に仮止めできるようになっている。この綱支持アーム２は、例えば０．７ｋｇと軽量にして作業者が操作しやすいようになっている。更に、仮止めした親綱Ｒを含んだ全重量でも２．４ｋｇ程度が作業的に望ましい。
なお、この綱仮止め具５については、一時的に親綱Ｒを、鉤形状に湾曲した状態で数箇所に仮止めすることができるものであれば、このような２枚の金属板から成るもの以外の構成のものを使用することができる。
【００２２】
綱引掛けアーム４は略円弧形状の部材であり、綱支持アーム２の開放側と同じ向きに開放するように中間位置を、綱支持アーム２に回動自在に取り付けた。この綱引掛けアーム４には、その一端に親綱Ｒ先端部の輪部Ｒ１を引掛ける引掛け具３を取り付け、その他端に親綱Ｒを塔脚Ｔ１に当てて、この綱引掛けアーム４を回動させる当接部６を取り付けたものである。
【００２３】
図２は引掛け具の構造を示す拡大正面図であり、(ａ)は引掛け具を輪部に近づける状態、(ｂ) は引掛け具の突っ張具を輪部に当てた状態、(ｃ) は引掛け具の鉤状先端部が閉じた状態、(ｄ)は引掛け具の鉤状先端部を開放した状態である。
引掛け具３は、親綱Ｒを掴む空間が形成されるように、鋏状になる２本の部材７の両先端が対向するような鉤状になる鉤状先端部８を形成すると共に、両鉤状先端部８が閉じるように引っ張るコイルバネ等の弾性部材９を鋏状の部材７間に介在させたものである。一方の鉤状先端部８に突っ張具１０を揺動自在に取り付け、この突っ張具１０で両鉤状先端部８を開いた状態にする（図２(ａ)参照）。この突っ張具１０を親綱Ｒの輪部Ｒ１に当てて鉤状先端部８から外れると（図２(ｂ) 参照）、弾性部材９の作用で両鉤状先端部８が閉じる。これにより引掛け具３が親綱Ｒの輪部Ｒ１を引っ掛けることができる（図２(ｃ) 参照）。
【００２４】
本発明の引掛け具３では、鋏状の部材７間に介在させる弾性部材９は、図２(ｄ)に示すように、これらの２本鋏状の部材７の支点位置Ｐと弾性部材９の一端を取り付ける位置９ａをずらした位置に弾性部材９の他端９ｂを取り付けている。これにより、２個の鉤状先端部８を開放したときに、弾性部材９の各取付け位置９ａ，９ｂがデッドポイントを超えた側に引っ張り作用が働くようにして、閉じれば両鉤状先端部８が閉じるように引っ張り作用が働き、鉤状先端部８が開いた状態でも引っ張り作用が働くようになっている。特に、鉤状先端部８が開いた状態を維持できるようになっているので、親綱Ｒの輪部Ｒ１を容易に外すことができ、作業しやすいようになっている。
【００２５】
綱支持アーム２の先端部にフック１１を取り付けている(図１参照)。このフック１１は親綱Ｒを塔脚Ｔ１から外すときに、この親綱Ｒの輪部Ｒ１を引っ掛けて作業者の手元まで手繰り寄せるためのものである。
【００２６】
図３は本発明の水平ロープ架設方法を示す説明図であり、(ａ)は水平ロープ架設補助治具を塔脚に嵌めた状態、(ｂ) は操作棒を引いて引掛け具を輪部に引っ掛けた状態、(ｃ) は水平ロープ架設補助治具を塔脚から外して親綱を手繰り寄せる状態、(ｄ)は輪部に親綱の先端を通してから作業者の手元まで手繰り寄せる状態である。
先ず、鉄塔等の塔脚Ｔ１，Ｔ２上において作業する作業者は、水平ロープ架設補助治具の綱支持アーム２に、親綱Ｒを鉤形状に湾曲した状態で数箇所に仮止めする。特に、親綱Ｒの輪部Ｒ１は、図示するように綱支持アーム２の先端の綱仮止め具５に挟む。このとき、輪部Ｒ１の穴の開口方向と、上述した引掛け具３の両鉤状先端部８の動作方向と略平行になるように配置する（図３(ａ)参照）。このとき引掛け具３の鉤状先端部８を開けて突っ張具１０を挟んで、両鉤状先端部８を開けた状態にする（図２(ａ)参照）。
【００２７】
この水平ロープ架設補助治具を、作業者から離れた位置にある塔脚Ｔ１に、綱支持アーム２の開放側から水平に引っ掛ける。作業者はこの状態で水平ロープ架設補助治具の操作棒１を握りながら手元に引き寄せる。この操作棒１の引き寄せによって、綱引掛けアーム４の当接部６が塔脚Ｔ１に当たり、この綱引掛けアーム４が回動して引掛け具３が親綱Ｒの輪部Ｒ１に近づく。更に、近づけるとこの突っ張具１０が親綱Ｒの輪部Ｒ１に当たり、鉤状先端部８から外れ、弾性部材９の作用で両鉤状先端部８が閉じる。これにより引掛け具３が親綱Ｒの輪部Ｒ１を引っ掛けることができる（図３(ｂ)参照）。
【００２８】
親綱Ｒの輪部Ｒ１を引っ掛けた後は、綱支持アーム２を塔脚Ｔ１から外す。このとき、綱支持アーム２を塔脚Ｔ１から外した状態では、親綱Ｒは塔脚Ｔ１に巻き付いたままであるので、そのまま操作棒１を作業者の手元に引き寄せることができる。このときに、親綱Ｒは綱仮止め具５から自然に外れるようになっている（図３(ｃ)参照）。
【００２９】
最後に、作業者は、その手元まで親綱Ｒ先端の輪部Ｒ１を手繰り寄せた後、その輪部Ｒ１に親綱Ｒを通した状態で徐々に親綱Ｒを手元まで手繰り寄せて、作業者から離れた位置の塔脚Ｔ１に親綱Ｒを確実に縛り付けることができる（図３(ｄ)参照）。更に、作業者の手元の親綱Ｒを塔脚Ｔ２に結び付けることで、塔脚Ｔ１，Ｔ２間に架設作業が終了する。これで作業者は、他の塔脚に安全に横移動することができる。
【００３０】
作業者が鉄塔等の点検作業が終了したら、綱支持アーム２の先端部に取り付けたフック１１を、塔脚Ｔ１に架け止めた親綱Ｒの輪部Ｒ１を引っ掛けて作業者の手元まで手繰り寄せる。これにより、１人の作業者で親綱Ｒを塔脚Ｔ１から容易に外すことができる。
【実施例２】
【００３１】
本発明の水平ロープ架設補助治具又は水平ロープ架設方法は、上述したような鉄塔等の点検作業に際して塔脚Ｔ１，Ｔ２間に親綱Ｒを架け止める作業にのみの使用に限定されない。実施例２では、例えば本発明の水平ロープ架設補助治具を用いて、伐採木にロープＲを結わき付けて、この伐採木の転倒方向に引っ張る際に使用することができる。更に、本発明の水平ロープ架設補助治具又は水平ロープ架設方法は、作業者から離れた位置にある所定箇所に、その離れた位置からロープＲを架け止める種々の作業に利用することができる。
【００３２】
なお、本発明は、水平ロープ架設補助治具は、離れた位置にある塔脚Ｔ１又はロープ架設する所定箇所にロープ又は親綱Ｒを架け止め、これを作業者側に手繰り寄せる手段又は方法であれば、上述した発明の実施の形態に限定されず、本発明の要旨を逸脱しない範囲で種々変更できることは勿論である。
【産業上の利用可能性】
【００３３】
本発明の水平ロープ架設補助治具及び水平ロープ架設方法は、主に送電線等の鉄塔等の塔脚に利用することができる、更に離れた位置からロープ又は親綱Ｒを架け止める必要がある場所であれば鉄塔、伐採木以外の作業現場にも利用することができる。
【図面の簡単な説明】
【００３４】
【図１】本発明の実施例１の水平ロープ架設補助治具を示すものであり、(ａ)は全体構成図、(ｂ) は綱支持アームの拡大図である。
【図２】引掛け具の構造を示す拡大正面図であり、(ａ)は引掛け具を輪部に近づける状態、(ｂ) は引掛け具の突っ張具を輪部に当てた状態、(ｃ) は引掛け具の鉤状先端部が閉じた状態、(ｄ)は引掛け具の鉤状先端部を開放した状態である。
【図３】本発明の水平ロープ架設方法を示す説明図であり、(ａ)は水平ロープ架設補助治具を塔脚に嵌めた状態、(ｂ) は操作棒を引いて引掛け具を輪部に引っ掛けた状態、(ｃ) は水平ロープ架設補助治具を塔脚から外して親綱を手繰り寄せる状態、(ｄ)は輪部に親綱の先端を通してから作業者の手元まで手繰り寄せる状態である。
【図４】鉄塔で作業者が塔脚に親綱を架け止める状態を示す説明斜視図である。
【符号の説明】
【００３５】
１  操作棒
２  綱支持アーム
３  引掛け具
４  綱引掛けアーム
５  綱仮止め具
６  当接部
７  鋏状の部材
８  鉤状先端部
９  弾性部材
１０  突っ張具
１１  フック
Ｔ１  作業者から離れた位置の塔脚
Ｔ２  作業者に近い位置の塔脚
Ｒ  親綱（ロープ）
Ｒ１  輪部
【図１】
2006097286.tif 000003
【図２】
2006097286.tif 000004
【図３】
2006097286.tif 000005
【図４】
2006097286.tif 000006